(57)【要約】【課題】挿入姿勢が傾斜した状態であっても、端子挿入用の開口部における薄肉部の損傷の発生を抑制させることができる電気コネクタのハウジングおよび電気コネクタを提供する。【解決手段】雄側電気コネクタは、アウターハウジングの天井壁部１２２に、嵌合穴に突出した突起部としてキー部１２２ｂが設けられている。このキー部１２２ｂは、嵌合方向の前面１２２ｓは、基端側から先端側に向かって後方に傾斜する傾斜面１４１に形成され、傾斜面１４１の側縁部１４１ａは、前面１２２ｓから側面１２２ｔへ曲線的に連続する面により形成されている。傾斜面１４１は、前面１２２ｓをＣ面により形成され、傾斜面１４１の側縁部１４１ａは、Ｒ面により形成されている。このキー部１２２ｂにより、インナーハウジングの薄肉部に当接しても、押圧力を緩和して損傷の発生を抑制することができる。【選択図】図１２
2015198046.tif 000002
【特許請求の範囲】
【請求項１】
嵌合穴に突出した突起部が形成された電気コネクタのハウジングにおいて、
前記突起部の嵌合方向の前面が、基端側から先端側に向かって後方に傾斜する傾斜面に形成され、
前記傾斜面の側縁部は、前記前面から側面へ曲線的に連続する面により形成された電気コネクタのハウジング。
【請求項２】
前記傾斜面が、前記嵌合穴に嵌合する相手側の電気コネクタのハウジングに形成された端子挿入用の開口部より長く形成された請求項１記載の電気コネクタのハウジング。
【請求項３】
前記傾斜面が、前記突起部の前面をＣ面により形成された請求項１または２記載の電気コネクタのハウジング。
【請求項４】
前記傾斜面の側縁部が、前記側縁部をＲ面により形成された請求項１または２記載の電気コネクタのハウジング。
【請求項５】
前記傾斜面の先端部が、前記前面から頭頂面へ曲線的に連続する面により形成された請求項１記載の電気コネクタのハウジング。
【請求項６】
前記突起部が、前記嵌合方向に沿って形成された、嵌合相手のハウジングの挿入を案内するキー部である請求項１記載の電気コネクタのハウジング。
【請求項７】
嵌合穴に突出した突起部が形成されたハウジングを備えた電気コネクタにおいて、
前記突起部の嵌合方向の前面が、基端側から先端側に向かって後方に傾斜する傾斜面に形成され、
前記傾斜面の側縁部は、前記前面から側面へ曲線的に連続する面により形成された電気コネクタ。
【発明の詳細な説明】
【技術分野】
【０００１】
本発明は、嵌合穴に突出した突起部が形成された電気コネクタのハウジングおよび電気コネクタに関するものである。
【背景技術】
【０００２】
嵌合穴が形成された一方のハウジングに、他方のハウジングを挿入する際に、他方のハウジングが抉りながら挿入されることを防止したり、一方のハウジングの嵌合穴に、他方のハウジングの天地を反転させた状態で挿入されることを防止したりするために、嵌合穴が形成された一方のハウジングに、嵌合穴に突出する突起部が形成され、他方のハウジングに、突起部に嵌合する凹部が形成されている。
このようなハウジングを有する電気コネクタとして、例えば、特許文献１,２に記載されたものが知られている。
【０００３】
特許文献１に記載の「コネクタのこじり嵌合防止構造」は、図２２に示す雌コネクタ１０００のハウジング内壁１００１に、嵌合室入口１００２からハウジング底壁１００３にかけて一対のガイド突条１００４，１００４を平行に垂設すると共に、該一対のガイド突条１００４，１００４の先端に、一対の斜め進入防止用の突当突条１００５，１００５を一体に設け、雄コネクタ１１００のハウジング外壁１１０１に、ハウジング先端から後端に向けて該ガイド突条１００４，１００４に対する一対の嵌合溝１１０２，１１０２と、該突当突条１００５に対する一対のスライド係合溝１１０３，１１０３とを設けたものである。
【０００４】
また、特許文献２に記載の「コネクタ」には、従来のコネクタハウジングとして、雌コネクタ１２００のハウジング本体１２０１の嵌合穴１２０２に突出させたリブ１２０３が設けられ、このリブ１２０３の先端部の角部が傾斜面に形成されていることが図示されている。
【先行技術文献】
【特許文献】
【０００５】
【特許文献１】特開平６−２３１８２４号公報
【特許文献２】実公平７−４９７３９号公報
【発明の概要】
【発明が解決しようとする課題】
【０００６】
しかし、特許文献１に記載の「コネクタのこじり嵌合防止構造」では、雄コネクタハウジング１１０４を雌コネクタハウジング１００６に嵌合させようとしたときに、雄コネクタハウジング１１０４が傾斜した挿入姿勢で、挿入しようとすると、ガイド突条１００４，１００４の先端辺や側辺が、雄コネクタハウジング１１０４に形成された端子挿入用の開口部１１０５に当接することがある。
【０００７】
雄コネクタハウジング１１０４は、端子挿入用の開口部１１０５が縦列および横列に配置されているため、互いに隣接する端子挿入用の開口部１１０５を隔てる壁部１１０６は、肉厚が薄く形成される。この肉厚が薄い薄肉部に、ガイド突条１００４，１００４の角張った先端部分が当接すると、亀裂が入ったり、破損したりして損傷するおそれがある。
【０００８】
また、特許文献２に記載の「コネクタ」では、リブ１２０３の先端部の角部が傾斜面に形成されているが、前面と側面とによる角部が、やはり角張っているため、この先端部分が、端子挿入用の開口部を隔てる壁部に当接すると、亀裂が入ったり、破損したりして損傷するおそれがある。
【０００９】
そこで本発明は、挿入姿勢が傾斜した状態であっても、端子挿入用の開口部における薄肉部の損傷の発生を抑制させることができる電気コネクタのハウジングおよび電気コネクタを提供することを目的とする。
【課題を解決するための手段】
【００１０】
本発明は、嵌合穴に突出した突起部が形成された電気コネクタのハウジングにおいて、前記突起部の嵌合方向の前面が、基端側から先端側に向かって後方に傾斜する傾斜面に形成され、前記傾斜面の側縁部は、前記前面から側面へ曲線的に連続する面により形成されていることを特徴とする。
【００１１】
また、本発明は、嵌合穴に突出した突起部が形成されたハウジングを備えた電気コネクタにおいて、前記突起部の嵌合方向の前面が、基端側から先端側に向かって後方に傾斜する傾斜面に形成され、前記傾斜面の側縁部は、前記前面から側面へ曲線的に連続する面により形成されていることを特徴とする。
【００１２】
本発明によれば、作業者が、嵌合相手となるハウジングを、突起部の突出方向に対して傾斜した状態で挿入しようとしたときに、突起部の傾斜面が嵌合相手のハウジングの薄肉部に当接させてしまっても、嵌合穴に突出した突起部の前面が、傾斜面に形成されていることで、押圧力を緩和させることができる。また、作業者が嵌合相手となるハウジングを、突起部の突出方向と交差する方向に対して傾斜した状態で挿入する場合であっても、突起部の傾斜面の側縁部が、前面から側面へ、曲線的に連続するような、なだらかな曲面により形成されているため、嵌合相手のハウジングの薄肉部に対して押圧力を緩和させることができる。
【００１３】
前記傾斜面が、前記嵌合穴に嵌合する相手側の電気コネクタのハウジングに形成された端子挿入用の開口部より長く形成されていることが望ましい。端子挿入用の開口部より傾斜面が長く形成されていると、傾斜面全体が、これらの開口部に入り込むことが防止できる。
【００１４】
前記傾斜面が、前記突起部の前面をＣ面により形成したものであることが望ましい。傾斜面をＣ面により形成することで、傾斜角度を４５度とすることができる。傾斜面が嵌合相手のハウジングと当接した際に、嵌合相手のハウジングが、傾斜せずに真っ直ぐ向いた状態である０度から、上方を向いた状態である９０度の間の傾斜角度で挿入しようとした場合でも、傾斜面の傾斜角度が４５度であれば、嵌合相手のハウジングの挿入しようとする方向と、傾斜面との成す角度を４５度以内とすることができる。従って、傾斜面が押圧力を緩和する共に、突起部に嵌合相手のハウジングを嵌合穴に案内するガイドとしての機能を備えさせることができる。
【００１５】
前記傾斜面の側縁部が、前記側縁部をＲ面により形成したものであることが望ましい。側縁部をＲ面により形成すると、嵌合相手のハウジングが、傾斜せずに真っ直ぐ向いた状態である０度から、側方を向いた状態である９０度の間の傾斜角度で挿入しようとした場合でも、側縁部のＲ面を同じ角度で薄肉部に当接させることができる。
【００１６】
前記傾斜面の先端部が、前記前面から頭頂面へ曲線的に連続する面により形成されていることが望ましい。傾斜面の先端部が、嵌合相手のハウジングの薄肉部に当接しても、押圧力を緩和させることができる。
【００１７】
前記突起部が、前記嵌合方向に沿って形成された、嵌合相手のハウジングの挿入を案内するキー部であることが望ましい。嵌合穴に突出した突起部が、キー部として設けられていても、キー部の前面が傾斜面に形成され、傾斜面の側縁部が、曲面に形成されていることで、嵌合相手のハウジングの薄肉部に対して押圧力を緩和させることができる。
【発明の効果】
【００１８】
本発明によれば、嵌合相手のハウジングの薄肉部に対して押圧力を緩和させることができるので、ハウジングの薄肉部への損傷の発生を抑制することができる。
【図面の簡単な説明】
【００１９】
【図１】本発明の実施の形態に係る雄側電気コネクタを正面側斜め下方から見た斜視図である。
【図２】図１に示す雄側電気コネクタを正面側斜め上方から見た斜視図である。
【図３】図１に示す雄側電気コネクタの正面図である。
【図４】図３に示す雄側電気コネクタのＡ−Ａ断面図である。
【図５】図３に示す雄側電気コネクタのＢ−Ｂ断面図である。
【図６】図５に示す雄側電気コネクタのＣ−Ｃ断面図である。
【図７】図５に示す雄側電気コネクタのＤ−Ｄ断面図である。
【図８】図１に示す雄側電気コネクタに嵌合する雌側電気コネクタを正面側斜め上方から見た斜視図である。
【図９】図８に示す雌側電気コネクタを正面斜め下方から見た斜視図である。
【図１０】図８に示す雌側電気コネクタの断面図である。
【図１１】図８に示す雌側電気コネクタの雌端子の斜視図である。
【図１２】図１に示す雄側電気コネクタの一部拡大図であり、キー部の形状を説明するための図ある。
【図１３】図４に示す雄側電気コネクタの一部拡大図であり、キー部の形状を説明するための図である。
【図１４】図１３に示すキー部の形状を説明するための一部拡大図である。
【図１５】図６に示す雄側電気コネクタの一部拡大図であり、キー部の形状を説明するための図である。
【図１６】従来のアウターハウジングと図８に示す雌側電気コネクタのインナーハウジングとの当接状態を説明するための斜視図である。
【図１７】図１６に示す従来のアウターハウジングとインナーハウジングとの当接状態の断面図である。
【図１８】図１７に示す断面図のＥ部拡大図である。
【図１９】図１に示すアウターハウジングと図８に示す雌側電気コネクタのインナーハウジングとの当接状態を説明するための斜視図である。
【図２０】図１９に示すアウターハウジングとインナーハウジングとの当接状態の断面図である。
【図２１】図２０に示す断面図のＦ部拡大図である。
【図２２】特許文献１の「コネクタのこじり嵌合防止構造」に記載された従来の雌コネクタを示す斜視図である。
【図２３】図２２に示す雌コネクタに嵌合する雄コネクタの斜視図である。
【図２４】特許文献２の「コネクタ」に記載された従来の雌コネクタハウジングを示す斜視図である。
【発明を実施するための形態】
【００２０】
本発明の実施の形態に係る電気コネクタを図面に基づいて説明する。なお、以下の説明においての「前後」という表現は、電気コネクタ同士を嵌合させる側を「前」とし、その反対方向を「後」として表現したものである。また、電気コネクタが表面実装されるプリント基板側を「下」、その反対方向を「上」として表現したものである。
【００２１】
図１から図７に示す本発明の実施の形態に係る電気コネクタ（雄側電気コネクタ１００）は、プリント基板（図示せず）に実装されて、嵌合相手となる雌側電気コネクタ２００（図８参照）と接続する表面実装用のコネクタである。
雄側電気コネクタ１００は、雄端子１１０（雄型のコネクタ端子）と、アウターハウジング１２０と、プリント基板に半田付け等により固定するための固定用部材１３０とを備えている。
【００２２】
雄端子１１０は、アウターハウジング１２０の嵌合穴１２１内に、横一列に８本が、中心となる雄端子１１０の位置がずれた状態で、縦２列に配置されて、合計１６本が設けられている。雄端子１１０は、図５に示すように針状のピン部１１１と、端子本体部１１２と、プリント基板の金属パッドに接合する外部リード部１１３とを備えている。
【００２３】
ピン部１１１は、雌側電気コネクタ２００の雌型のコネクタ端子に挿入されて接触する。端子本体部は、アウターハウジング１２０の端子収容孔に収容される部分である。
外部リード部１１３は、アウターハウジング１２０の後端部から突出している。外部リード部１１３の先端部には、プリント基板の信号端子である金属パッドと接合材料である半田により接合する半田接続部１１３ａが形成されている。
【００２４】
アウターハウジング１２０は、嵌合相手となる雌側電気コネクタ２００がプリント基板の面方向に沿って挿入される嵌合穴１２１を有するハウジングである。アウターハウジング１２０は、天井壁部１２２と、底壁部１２３と、側壁部１２４，１２４と、奥壁部１２５とにより、前面が開口した箱状に形成されている。アウターハウジング１２０は、底面が、プリント基板に接した状態で搭載されている。
【００２５】
天井壁部１２２の内壁面には、開口縁部の中央部に、雌側電気コネクタ２００のロックアームを受け入れるための案内部１２２ａが形成されている。なお、雌側電気コネクタ２００のロックアームについては、後段にて詳細に説明する。案内部１２２ａは、奥壁部１２５から嵌合穴１２１の開口部１２１ａに向かうに従って徐々に肉厚が薄くなる傾斜面１２２ｃが形成されている。
【００２６】
天井壁部１２２の案内部１２２ａの両側には、嵌合穴１２１に突出するキー部１２２ｂ（突起部）が形成されている。このキー部１２２ｂは、開口部１２１ａから奥壁部１２５に向かうように、嵌合方向に沿って直線状に形成されている。
キー部１２２ｂは、嵌合相手として異なる種類の電気コネクタを挿入しようとすることを防止したり、雌側電気コネクタ２００を傾斜した状態で抉りながら挿入しようとすることを防止したり、嵌合穴１２１への挿入姿勢を天地反転させた状態で挿入しようとすることを防止したりする機能を有している。
【００２７】
底壁部１２３の内壁面の両方の側縁部には、直線状凹部１２３ａが、雌側電気コネクタ２００の嵌合方向に沿って形成されている。
【００２８】
キー部１２２ｂが形成された壁部である天井壁部１２２の両側の側壁部１２４，１２４には、直線状凹部１２４ａが対向した位置に形成されている。この直線状凹部１２４ａは、側壁部１２４，１２４の天地方向の端部に形成することができる。本実施の形態に係るアウターハウジング１２０では、キー部１２２ｂが形成されている側とは反対側の下部に形成されている。
【００２９】
側壁部１２４は、側壁部１２４の厚みを切り欠いて内壁面に直線状凹部１２４ａが形成されているが、直線状凹部１２４ａが形成された位置と反対側となる外壁面が平坦面に形成されている。側壁部１２４，１２４の外壁面には、固定用部材１３０を保持させるためのスロット部１２４ｂが形成されている。
【００３０】
奥壁部１２５の外壁面の両端部には、雄端子１１０の半田接続部１１３ａを保護するための立壁部１２６が、雄端子１１０の半田接続部１１３ａを挟んで形成されている。
【００３１】
図８から図１０に示す雌側電気コネクタ２００は、図１０および図１１に示す雌端子２１０（雌型のコネクタ端子）と、インナーハウジング２２０と、ロックアーム２３０とを備えている。
【００３２】
図１１に示す雌端子２１０は、インナーハウジング２２０に挿入される導電性の鞘状部２１１と、鞘状部２１１と導通した状態で鞘状部２１１内に設けられた弾性接触片２１２と、鞘状部２１１の後部に形成され、ケーブル（図示せず）を圧着固定するための結束部２１３とを備えている。
【００３３】
図８から図１０に示すように、インナーハウジング２２０は、外形が直方体状に形成され、雌端子２１０を収容する端子収容室２２０ａを有している。端子収容室２２０ａは、雄側電気コネクタ１００（図１参照）の雄端子１１０の配列に対応させて、上下２段に相互に対向して８列ずつ配置されている。
【００３４】
インナーハウジング２２０の嵌合方向の前面２２１には、端子用挿入口２２１ａと、引き抜き治具用挿入口２２１ｂと、ランス用開口部２２１ｃとが形成されている。
端子用挿入口２２１ａは、端子収容室２２０ａに収容された雌端子２１０に雄端子１１０を挿入して接続するための開口部である。引き抜き治具用挿入口２２１ｂは、雌端子２１０を引く抜くための治具を挿入するための開口部である。ランス用開口部２２１ｃは、詳細には後述する解除用空間２２０ｂ（図１０参照）の開口部である。
【００３５】
これらの開口部が、横列に８組、縦列に２組配置されているため、横列に並ぶ端子用挿入口２２１ａ同士の間の隔壁２４１と、縦列に並ぶ端子用挿入口２２１ａ同士の間の隔壁２４２と、端子用挿入口２２１ａと引き抜き治具用挿入口２２１ｂとを隔てる隔壁２４３と、引き抜き治具用挿入口２２１ｂとランス用開口部２２１ｃとを隔てる隔壁２４４とが、肉厚の薄い薄肉部Ｔに形成されている。ちなみに薄肉部Ｔは、０．３ｍｍから０．５ｍｍ程度の厚みである。
【００３６】
インナーハウジング２２０の両方の側壁部２２３の外壁面の下部には、直線状凹部１２４ａ（図１参照）に嵌合するように直線状凸部２２３ａが嵌合方向に沿って形成されている。
インナーハウジング２２０の天井壁部２２４の外壁面には、アウターハウジング１２０のキー部１２２ｂ（図１参照）が嵌合する直線状溝部２２４ａが、ロックアーム２３０を挟んで両側に形成されている。
【００３７】
ここで、キー部１２２ｂについて、図１２から図１５に基づいて詳細に説明する。
キー部１２２ｂは、嵌合方向の前面１２２ｓが、基端側から先端側に向かって後方に、直線的に傾斜する傾斜面１４１に形成されている。傾斜面１４１の長さは、インナーハウジング２２０に形成された雄端子１１０挿入用の開口部である端子用挿入口２２１ａ、引き抜き治具用挿入口２２１ｂおよびランス用開口部２２１ｃにおける矩形状開口部の長辺側の長さより長く形成されている。
【００３８】
また、傾斜面１４１の側縁部１４１ａは、前面１２２ｓから側面１２２ｔへ、円弧を描くような曲線的に連続する面により形成されている。外側に膨らむなだらかな曲面に形成された両側の側縁部１４１ａの残余部分である傾斜面１４１の中央部１４１ｂは、平坦面に形成されている。
【００３９】
更に、傾斜面１４１の先端部となる下端部１４１ｃは、前面１２２ｓから頭頂面である底面１２２ｕへ曲線的に連続する面により形成されていると共に、前面１２２ｓから側面１２２ｔへ円弧を描くような曲線的に連続する面により形成されている。
【００４０】
傾斜面１４１は、図１４に示すように、キー部１２２ｂの前面１２２ｓが、長さＬ１の直角二等辺三角形のような角を落としたＣ面により形成されている。また、図１５に示すように、傾斜面１４１の側縁部１４１ａは、半径Ｌ２の円弧によるＲ面により形成されている。
このような輪郭形状のキー部１２２ｂは、アウターハウジング１２０を樹脂成形するときの金型のキャビティに、キー部１２２ｂの各部に対応する形状が形成されていることで、成形される。
【００４１】
以上のように形成された本発明の実施の形態に係る雄側の電気コネクタと雌側の電気コネクタとによる嵌合について、図面に基づいて説明する。
作業者が、雄側電気コネクタ１００と、相手側の電気コネクタとなる雌側電気コネクタ２００とを嵌合させるときに、アウターハウジング１２０の嵌合穴１２１に、インナーハウジング２２０を、正規の嵌合方向に対して傾斜した状態で挿入しようとするときがある。
このような状態では、嵌合穴１２１に出っ張っているキー部１２２ｂの前面１２２ｓが、薄肉部Ｔとして形成された、隔壁２４１〜２４４に当接することがある。
【００４２】
ここで、キー部が隔壁２４１〜２４４に当接したときの状態を、まずは、従来のアウターハウジングとインナーハウジング２２０との嵌合を例に、図面に基づいて説明する。なお、図１６から図１８においては、図１から図１０と同じ構成のものは同符号を付して説明は省略する。また、図１６および図１７においては、雄端子１１０および固定用部材１３０は図示していない。
【００４３】
例えば、図１６に示すような従来のアウターハウジング１２０ｘは、キー部１２２ｂｘの前面１２２ｓの先端部（下端）が、角部１２２ｂｙとして、尖っている。
【００４４】
そのために、キー部１２２ｂｘの先端部が、縦列に並ぶ端子用挿入口２２１ａ，引き抜き治具用挿入口２２１ｂまたはランス用開口部２２１ｃに、入り込み、インナーハウジング２２０による従来のアウターハウジング１２０ｘへの挿入力がキー部１２２ｂｘの下端に加わることで、薄肉部Ｔである隔壁２４１〜２４４が欠損することがある。図１６から図１８に示す例では、キー部１２２ｂｘの先端部が隔壁２４３に当接している。
【００４５】
これに対して、本実施の形態に係るアウターハウジング１２０では、図１９〜図２１に示すように、キー部１２２ｂの前面１２２ｓが、基端側から先端側に向かって後方に傾斜する傾斜面１４１に形成されている。そのため、作業者が、インナーハウジング２２０を、天地方向（キー部１２２ｂの突出方向）に対して、天井壁部１２２に向けて（上向き方向に）傾斜した状態で挿入しようとしたときに、キー部１２２ｂの傾斜面１４１がインナーハウジング２２０の薄肉部Ｔに当接する。従って、尖った角部１２２ｂｙが当接する従来のアウターハウジング１２０ｘに比べて、キー部１２２ｂの傾斜面１４１は、押圧力を緩和させることができるので、薄肉部Ｔの損傷を抑制することができる。
【００４６】
例えば、傾斜面が前方に膨出した曲面に形成されていると、傾斜面の膨出部分が端子用挿入口２２１ａ，引き抜き治具用挿入口２２１ｂまたはランス用開口部２２１ｃに、入り込み易くなってしまう。しかし、傾斜面１４１が、基端側から先端側に向かって後方に、直線的に傾斜しているため、各開口部に入り込み難くすることができる。
また、傾斜面１４１の長さが、端子用挿入口２２１ａ、引き抜き治具用挿入口２２１ｂおよびランス用開口部２２１ｃにおける矩形状開口部の長辺側の長さより長く形成されているため、傾斜面１４１全体が、これらの開口部に入り込むことが防止できる。
【００４７】
図１３および図１４に示すように、この傾斜面１４１は、天井壁部１２２から垂下させた状態のキー部１２２ｂの前面１２２ｓをＣ面としたことにより形成されている。そうすることで、天井壁部１２２の内壁面（水平面）に対して、角度が４５度の傾斜面１４１が形成される。傾斜面１４１がインナーハウジング２２０と当接した際に、インナーハウジング２２０が、０度（インナーハウジング２２０が嵌合方向と一致した方向で、真っ直ぐアウターハウジング１２０の嵌合穴１２１に向いた状態）から、９０度（インナーハウジング２２０が嵌合方向と直交する方向で、アウターハウジング１２０の嵌合穴１２１に対して真上を向いた状態）の間の傾斜角度で挿入しようとした場合でも、傾斜面１４１の傾斜角度が４５度であれば、インナーハウジング２２０がアウターハウジング１２０に挿入しようとする方向と傾斜面１４１との成す角度を、４５度以内とすることができる。従って、傾斜面１４１が押圧力を緩和する共に、キー部１２２ｂにインナーハウジング２２０を嵌合穴１２１に案内するガイドとしての機能を備えさせることができる。
【００４８】
また、傾斜面１４１が４５度の傾斜角度であるので、アウターハウジング１２０の開口縁部１２１ｂとのなす角度が１３５度、キー部１２２ｂとの底面１２２ｕとのなす角度も１３５度になるため、傾斜面１４１を、アウターハウジング１２０の開口縁部１２１ｂと、キー部１２２ｂとの底面１２２ｕとに均等に傾斜させることができる。
【００４９】
また、作業者が、インナーハウジング２２０を、幅方向に対して、いずれかの側壁部１２４に向けて傾斜した状態で挿入する場合であっても、キー部１２２ｂの傾斜面１４１の側縁部１４１ａが、前面１２２ｓから側面１２２ｔへ、曲線的に連続するような、なだらかな曲面により形成されているため、インナーハウジング２２０の薄肉部Ｔに対して押圧力を緩和させることができる。
【００５０】
図１５に示すように、傾斜面１４１の側縁部１４１ａの曲面は、Ｒ面により形成されているため、インナーハウジング２２０が、０度（インナーハウジング２２０が嵌合方向と一致した方向で、真っ直ぐアウターハウジング１２０の嵌合穴１２１に向いた状態）から９０度（インナーハウジング２２０が嵌合方向と直交する方向で、アウターハウジング１２０の嵌合穴１２１に対して真横を向いた状態）の間の傾斜角度で、アウターハウジング１２０に挿入しようとした場合でも、側縁部１４１ａの曲面（Ｒ面）を同じ角度で薄肉部Ｔに当接させることができる。
【００５１】
更に、傾斜面１４１の下端部１４１ｃが、前面１２２ｓから頭頂面である底面１２２ｕへ、曲線的に連続するような、なだらかな曲面により形成されていると共に、前面１２２ｓから側面１２２ｔへ円弧を描くような曲線的に連続する面により形成されている。そのため、傾斜面１４１の先端部である下端部１４１ｃが、インナーハウジング２２０の薄肉部Ｔに当接しても、押圧力を緩和させることができる。
【産業上の利用可能性】
【００５２】
本発明は、電気信号を導通する電線の接続手段として、自動車産業、電気電子機器産業あるいは各種機械産業などの分野において広く利用される電気コネクタに好適である。
【符号の説明】
【００５３】
１００  雄側電気コネクタ
１１０  雄端子
１１１  ピン部
１１２  端子本体部
１１３  外部リード部
１１３ａ  半田接続部
１２０  アウターハウジング
１２１  嵌合穴
１２１ａ  開口部
１２１ｂ  開口縁部
１２２  天井壁部
１２２ａ  案内部
１２２ｂ  キー部（突起部）
１２２ｃ  傾斜面
１２２ｓ  前面
１２２ｔ  側面
１２２ｕ  底面
１２３  底壁部
１２３ａ  直線状凹部
１２４  側壁部
１２４ａ  直線状凹部
１２４ｂ  スロット部
１２５  奥壁部
１２６  立壁部
１３０  固定用部材
１４１  傾斜面
１４１ａ  側縁部
１４１ｂ  中央部
１４１ｃ  下端部
２００  雌側電気コネクタ
２１０  雌端子
２１１  鞘状部
２１２  弾性接触片
２１３  結束部
２２０  インナーハウジング
２２０ａ  端子収容室
２２０ｂ  解除用空間
２２１  前面
２２１ａ  端子用挿入口
２２１ｂ  引き抜き治具用挿入口
２２１ｃ  ランス用開口部
２２３  側壁部
２２３ａ  直線状凸部
２２４  天井壁部
２２４ａ  直線状溝部
２３０  ロックアーム
２４１，２４２，２４３，２４４  隔壁
１２０ｘ  従来のアウターハウジング
１２２ｂｘ  キー部
１２２ｂｙ  角部
Ｔ  薄肉部
Ｌ１  長さ
Ｌ２  半径
【図１】
2015198046.tif 000003
【図２】
2015198046.tif 000004
【図３】
2015198046.tif 000005
【図４】
2015198046.tif 000006
【図５】
2015198046.tif 000007
【図６】
2015198046.tif 000008
【図７】
2015198046.tif 000009
【図８】
2015198046.tif 000010
【図９】
2015198046.tif 000011
【図１０】
2015198046.tif 000012
【図１１】
2015198046.tif 000013
【図１２】
2015198046.tif 000014
【図１３】
2015198046.tif 000015
【図１４】
2015198046.tif 000016
【図１５】
2015198046.tif 000017
【図１６】
2015198046.tif 000018
【図１７】
2015198046.tif 000019
【図１８】
2015198046.tif 000020
【図１９】
2015198046.tif 000021
【図２０】
2015198046.tif 000022
【図２１】
2015198046.tif 000023
【図２２】
2015198046.tif 000024
【図２３】
2015198046.tif 000025
【図２４】
2015198046.tif 000026
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
嵌合穴に内壁面から突出した突起部が形成された電気コネクタのハウジングにおいて、
前記突起部は、前記嵌合穴の開口部から前記ハウジングの奥壁部に向かって、嵌合相手となる電気コネクタのハウジングが嵌合する嵌合方向に沿って形成され、
前記開口部に位置する前記突起部の前面には、前記開口部から前記奥壁部に向かうに連れて、前記嵌合穴への突出が大きくなるように傾斜した傾斜面が形成され、
前記傾斜面の側縁部は、前記前面から、前記嵌合方向に沿って形成された側面に向かって、曲線的に連続する面により形成されている電気コネクタのハウジング。
【請求項２】
前記傾斜面の突出方向の長さは、前記嵌合穴に嵌合する相手側の電気コネクタのハウジングに形成された端子挿入用の矩形状の開口部の長辺側の長さより長く形成された請求項１記載の電気コネクタのハウジング。
【請求項３】
前記傾斜面は、前記前面をＣ面としたことにより形成されている請求項１または２記載の電気コネクタのハウジング。
【請求項４】
前記側縁部は、Ｒ面により形成されている請求項１または２記載の電気コネクタのハウジング。
【請求項５】
前記傾斜面には、前記前面から、前記突起部の突出方向の先端面である頭頂面に向かって、曲線的に連続する面が形成されている請求項１記載の電気コネクタのハウジング。
【請求項６】
前記突起部は、前記嵌合方向に沿って形成された、嵌合相手のハウジングの挿入を案内するキー部である請求項１記載の電気コネクタのハウジング。
【請求項７】
嵌合穴に内壁面から突出し、前記嵌合穴の開口部から前記ハウジングの奥壁部に向かって、嵌合相手となる電気コネクタのハウジングが嵌合する嵌合方向に沿って形成された突起部が形成されたハウジングを備えた電気コネクタにおいて、
前記開口部に位置する前記突起部の前面には、前記開口部から前記奥壁部に向かうに連れて、前記嵌合穴への突出が大きくなるように傾斜した傾斜面が形成され、
前記傾斜面の側縁部は、前記前面から、前記嵌合方向に沿って形成された側面に向かって、曲線的に連続する面により形成されている電気コネクタ。
【手続補正２】
【補正対象書類名】明細書
【補正対象項目名】００１０
【補正方法】変更
【補正の内容】
【００１０】
本発明は、嵌合穴に内壁面から突出した突起部が形成された電気コネクタのハウジングにおいて、前記突起部は、前記嵌合穴の開口部から前記ハウジングの奥壁部に向かって、嵌合相手となる電気コネクタのハウジングが嵌合する嵌合方向に沿って形成され、前記開口部に位置する前記突起部の前面には、前記開口部から前記奥壁部に向かうに連れて、前記嵌合穴への突出が大きくなるように傾斜した傾斜面が形成され、前記傾斜面の側縁部は、前記前面から、前記嵌合方向に沿って形成された側面に向かって、曲線的に連続する面により形成されていることを特徴とする。
【手続補正３】
【補正対象書類名】明細書
【補正対象項目名】００１１
【補正方法】変更
【補正の内容】
【００１１】
また、本発明は、嵌合穴に内壁面から突出し、前記嵌合穴の開口部から前記ハウジングの奥壁部に向かって、嵌合相手となる電気コネクタのハウジングが嵌合する嵌合方向に沿って形成された突起部が形成されたハウジングを備えた電気コネクタにおいて、前記開口部に位置する前記突起部の前面には、前記開口部から前記奥壁部に向かうに連れて、前記嵌合穴への突出が大きくなるように傾斜した傾斜面が形成され、前記傾斜面の側縁部は、前記前面から、前記嵌合方向に沿って形成された側面に向かって、曲線的に連続する面により形成されていることを特徴とする。
【手続補正４】
【補正対象書類名】明細書
【補正対象項目名】００１２
【補正方法】変更
【補正の内容】
【００１２】
本発明によれば、作業者が、嵌合相手となるハウジングを、突起部の突出方向に対して傾斜した状態で挿入しようとしたときに、突起部の傾斜面を嵌合相手のハウジングの薄肉部に当接させてしまっても、嵌合穴に突出した突起部の前面に、開口部から奥壁部に向かうに連れて嵌合穴への突出が大きくなるように傾斜した傾斜面が形成されていることで、押圧力を緩和させることができる。また、作業者が嵌合相手となるハウジングを、突起部の突出方向と交差する方向に対して傾斜した状態で挿入する場合であっても、突起部の傾斜面の側縁部が、前面から、前記嵌合方向に沿って形成された側面に向かって、曲線的に連続するような、なだらかな曲面により形成されているため、嵌合相手のハウジングの薄肉部に対して押圧力を緩和させることができる。
【手続補正５】
【補正対象書類名】明細書
【補正対象項目名】００１３
【補正方法】変更
【補正の内容】
【００１３】
前記傾斜面の突出方向の長さは、前記嵌合穴に嵌合する相手側の電気コネクタのハウジングに形成された端子挿入用の矩形状の開口部の長辺側の長さより長く形成されていることが望ましい。端子挿入用の矩形状の開口部の長辺側の長さより傾斜面が長く形成されていると、傾斜面全体が、これらの開口部に入り込むことが防止できる。
【手続補正６】
【補正対象書類名】明細書
【補正対象項目名】００１４
【補正方法】変更
【補正の内容】
【００１４】
前記傾斜面は、前記前面をＣ面としたことにより形成されていることが望ましい。傾斜面をＣ面により形成することで、傾斜角度を４５度とすることができる。傾斜面が嵌合相手のハウジングと当接した際に、嵌合相手のハウジングが、傾斜せずに真っ直ぐ向いた状態である０度から、上方を向いた状態である９０度の間の傾斜角度で挿入しようとした場合でも、傾斜面の傾斜角度が４５度であれば、嵌合相手のハウジングの挿入しようとする方向と、傾斜面との成す角度を４５度以内とすることができる。従って、傾斜面が押圧力を緩和する共に、突起部に嵌合相手のハウジングを嵌合穴に案内するガイドとしての機能を備えさせることができる。
【手続補正７】
【補正対象書類名】明細書
【補正対象項目名】００１５
【補正方法】変更
【補正の内容】
【００１５】
前記側縁部は、Ｒ面により形成したものであることが望ましい。側縁部をＲ面により形成すると、嵌合相手のハウジングが、傾斜せずに真っ直ぐ向いた状態である０度から、側方を向いた状態である９０度の間の傾斜角度で挿入しようとした場合でも、側縁部のＲ面を同じ角度で薄肉部に当接させることができる。
【手続補正８】
【補正対象書類名】明細書
【補正対象項目名】００１６
【補正方法】変更
【補正の内容】
【００１６】
前記傾斜面には、前記前面から、前記突起部の突出方向の先端面である頭頂面に向かって、曲線的に連続する面が形成されていることが望ましい。嵌合相手となる電気コネクタのハウジングとの嵌合の際、傾斜面が、嵌合相手のハウジングの薄肉部に当接しても、押圧力を緩和させることができる。
【手続補正９】
【補正対象書類名】明細書
【補正対象項目名】００１７
【補正方法】変更
【補正の内容】
【００１７】
前記突起部は、前記嵌合方向に沿って形成された、嵌合相手のハウジングの挿入を案内するキー部であることが望ましい。嵌合穴に突出した突起部が、キー部として設けられていても、キー部の前面が傾斜面に形成され、傾斜面の側縁部が、曲面に形成されていることで、嵌合相手のハウジングの薄肉部に対して押圧力を緩和させることができる。